(57)【特許請求の範囲】
【請求項１】
コンピュータに、グラフィカル・ユーザ・インターフェース内に不可視とされた２次コンテンツを、１次コンテンツを表示させたまま表示させる方法であって、前記２次コンテンツは、ユーザが作業を達成するのに欠くことができない１次コンテンツであるコントロールおよび注釈に対し、インタフェースの動作を補足し説明するためのテキスト、アイコン、イメージ、またはコントロールであり、
前記グラフィカル・ユーザ・インタフェース内に、カーソルと、該カーソルを中心とした半径ｒの円を表す円周ｃと、前記円周ｃによって定義される内側区域のライトとを有するスポットライト・カーソルを表示させるステップと、
前記カーソルの座標を取得させるステップと、
前記円周ｃ上の各点の座標を計算させるステップと、
前記２次コンテンツの座標と前記円周ｃ上の各点の座標とから、前記円周ｃが前記２次コンテンツをカバーしたか否かを判定させるステップと、
前記円周ｃが前記２次コンテンツをカバーしたことの判定に応答して、プログラムにより前記２次コンテンツを活動化させて前記グラフィカル・ユーザ・インターフェース内に表示させるステップと、を含み、前記表示させるステップは、
前記ユーザの選択に応答して、
前記円周ｃを実線または破線で表示させるステップと、
前記ライトを前記ユーザが選択した輝度で表示させるステップと、
前記ライトを前記ユーザが選択した色で表示させるステップと、
前記２次コンテンツを、漸進的に、または、全部同時に、または、ゾーン内に表示させるステップと
を含む、方法。
【請求項２】
スポットライト・カーソルを構成させるためのメニューを表示させるステップと、
前記２次コンテンツを表示するか否かを判定させるステップと、
前記２次コンテンツを表示しないとの判定に応答して、前記半径ｒを０に設定し、前記２次コンテンツを表示するとの判定に応答して、前記半径ｒが入力されたか否かを判定させるステップと
をさらに含む、請求項１に記載の方法。
【請求項３】
グラフィカル・ユーザ・インターフェース内に不可視とされた２次コンテンツを、１次コンテンツを表示させたまま表示させるためのコンピュータ可読なプログラムが記録された記録媒体であって、前記２次コンテンツは、ユーザが作業を達成するのに欠くことができない１次コンテンツであるコントロールおよび注釈に対し、インタフェースの動作を補足し説明するためのテキスト、アイコン、イメージ、またはコントロールであり、前記プログラムは、前記コンピュータに、
前記グラフィカル・ユーザ・インタフェース内に、カーソルと、該カーソルを中心とした半径ｒの円を表す円周ｃと、前記円周ｃによって定義される内側区域のライトとを有するスポットライト・カーソルを表示するステップと、
前記カーソルの座標を得るステップと、
前記円周ｃ上の各点の座標を計算するステップと、
前記２次コンテンツの座標と前記円周ｃ上の各点の座標とから、前記円周ｃが前記２次コンテンツをカバーしたか否かを判定するステップと、
前記円周ｃが前記２次コンテンツをカバーしたことの判定に応答して、プログラムにより前記２次コンテンツを活動化させて前記２次コンテンツを前記グラフィカル・ユーザ・インターフェース内に表示するステップとを含み、前記表示させるステップは、
前記ユーザの選択に応答して、
前記円周ｃを実線または破線で表示するステップと、
前記ライトを前記ユーザが選択した輝度で表示するステップと、
前記ライトを前記ユーザが選択した色で表示するステップと、
前記２次コンテンツを、漸進的に、または、全部同時に、または、ゾーン内に表示するステップと
を実行させる、記録媒体。
【請求項４】
スポットライト・カーソルを構成させるためのメニューを表示させるステップと、
前記２次コンテンツを表示するか否かを判定させるステップと、
前記２次コンテンツを表示しないとの判定に応答して、前記半径ｒを０に設定し、前記２次コンテンツを表示するとの判定に応答して、前記半径ｒが入力されたか否かを判定させるステップと
をさらに実行させる、請求項３に記載の記録媒体。
【発明の詳細な説明】
【０００１】
【発明の属する技術分野】
本発明は、カーソルの移動に応答して２次コンテンツを示すことによってグラフィカル・ユーザ・インターフェースの混乱を除去する装置および方法に関する。
【０００２】
【従来の技術】
複雑なグラフィカル・ユーザ・インターフェース設計では、機能性と、使い易さを妨げる画面の混乱との間の適当なバランスを与えるという課題が存在する。ユーザが作業を達成するのに欠くことができないコントロールおよび注釈が、１次コンテンツである。グラフィカル・ユーザ・インターフェース（ＧＵＩ）に、作業完了に重要でないコントロールおよび注釈が含まれることがしばしばである。これらのコントロールおよび注釈は、通常は、インターフェースの動作を捕足し、説明するために設計される。そのようなコントロールおよび注釈は、２次コンテンツとして設計される。２次コンテンツの例が、コンテキスト・ヘルプ・ポップアップ、テキストによる説明、および他の重要でない機能に関する項目である。使い易さを拡張することを企図されてはいるが、２次コンテンツは、画面を混乱させ、ユーザが作業を進行するために読み取り、優先順位を付けなければならない視覚的な「ノイズ」を作成することがしばしばである。
【０００３】
２次コンテンツを「不可視」にし、２次コンテンツが必要な時およびユーザが２次コンテンツの露出の幅を管理する場合に限って２次コンテンツを示す方法の必要が存在する。したがって、カーソルの移動などのユーザによって行われるアクションに基づいて、２次コンテンツの項目を示す方法の必要が、さらに存在する。
【０００４】
米国特許第６０１８３４５号明細書に、リンクおよびリンクをトラバースする手段の存在を示すために使用されるカーソルの移動および提示の方法が開示されている。カーソルは、第１ページ内の非リンク要素の上にある間は第１の形で提示される。カーソルがリンクの上に移動した時に、カーソルが、第２ページへトラバースする方法をユーザに示すために第２の形で提示される。米国特許第５５２６４７８号明細書に、ポインタを有するコンピュータ・システムのディスプレイ上に３次元表現で表示され、操作可能な幾何形状に注釈を付ける方法が開示されている。ポインタも、ディスプレイ上に３次元表現で表示され、操作可能である。ポインタを伴う幾何形状の特定の表示方位を、そのポインタを伴う幾何形状の特定の表示方位を後で取り出すことができる形で保存することができる。ポインタが活動化される時に、ポインタに、複数の機能を関連付け、ポインタがもう一度活動化される時に、マルチメディア機能を実行するようにすることができる。米国特許第５４８８６８５号明細書に、オーバーラップ式ウィンドウと、ユーザによる選択のためのトピックス・ボタン機能、インデックス・ボタン機能、および「検索（look for）」ボタン機能を有するアクセス・ウィンドウとを有するオブジェクト指向グラフィカル・ユーザ・インターフェース（ＧＵＩ）が開示されている。ボタン機能の１つを選択すると、アクセス・ウィンドウの事前定義区域内に項目が生成され、表示される。コーチ・マークの形の視覚的キューが、ディスプレイ上の特徴を識別するために生成される。コーチ・マークは、ユーザがコンピュータを操作するのを支援するために、オブジェクト、特徴、アイコン、フォルダ、および他の表示要素を、円で囲むか、ポイントするか、下線を付ける。
【０００５】
【発明が解決しようとする課題】
従来技術を超えて必要なものは、ユーザ・アクションに基づいて２次コンテンツを示させる、単純で効率的な方法である。
【０００６】
【課題を解決するための手段】
上で識別された必要に合致する発明は、グラフィカル・ユーザ・インターフェース内に第２層の情報を表示する装置および方法であって、カーソルのｘ、ｙ座標から発する半径「ｒ」によって定義される円周上の点が第２層の２次コンテンツ内の点をカバーする時に第２層の情報が示される、装置および方法である。円周は、２次コンテンツの出現を漸進的に、すべて同時に、または事前定義のゾーン内のすべての２次コンテンツの出現をトリガするように設定することができる。
【０００７】
【発明の実施の形態】
図１は、本発明を実施することができ、本発明の処理の、アーキテクチャ的制限としてではなく、例として企図された、分散データ処理システムの図である。分散データ処理システム１００は、ネットワーク１０２を含むコンピュータのネットワークであり、ネットワーク１０２は、分散データ処理システム１００内で互いに接続されたさまざまな装置およびコンピュータの間の通信リンクを提供するのに使用される媒体である。ネットワーク１０２には、ワイヤまたは光ファイバ・ケーブルなどの永久的接続、もしくは、電話接続、パーソナル・コンピュータ、またはネットワーク・コンピュータを介して行われる一時的接続を含めることができる。分散データ処理システム１００に、図示されていない追加のサーバ、クライアント、および他の装置を含めることができる。図示の例では、分散データ処理システム１００が、インターネットであり、ネットワーク１０２が、互いに通信するのにＴＣＰ／ＩＰプロトコル集を使用するネットワークおよびゲートウェイの全世界の集合を表す。分散データ処理システム１００は、たとえば、イントラネット、ローカル・エリア・ネットワーク（ＬＡＮ）、または広域ネットワーク（ＷＡＮ）などの、多数の異なるタイプのネットワークとして実施することもできる。
【０００８】
図２に、コンピュータ２００を示す。図示の実施形態には、パーソナル・コンピュータが含まれるが、本発明の好ましい実施形態は、他のタイプのデータ処理システムで実施することができる。コンピュータ２００の例示的なハードウェア配置を次に示す。キーボード２２２およびディスプレイ２２３が、システム・バス２１０に接続される。読取専用メモリ（ＲＯＭ）２３０には、通常は、始動時に中央処理装置（ＣＰＵ）２２０を初期化するのに使用されるブートストラップ・ルーチンおよび基本入出力システム（ＢＩＯＳ）が含まれる。ランダム・アクセス・メモリ（ＲＡＭ）２４０は、データの処理に使用されるメイン・メモリを表す。ドライブ・コントローラ２５０が、フロッピー（Ｒ）ディスク・ドライブ２５２、ＣＤ−ＲＯＭ２５４、およびハード・ディスク２５６などの１つまたは複数のディスク・タイプのドライブとインターフェースする。特定のシステムと共に使用されるドライブの数およびタイプは、ユーザの要件に応じて変化する。ネットワーク・インターフェース２６０によって、ネットワークから通信を送受信できるようになる。通信ポート２７０を、１つまたは複数のネットワークへのダイヤル・アップ接続に使用することができるが、ネットワーク・インターフェース２６０は、特定のネットワークへの専用インターフェースである。図２に示された装置を制御するプログラムは、通常は、ディスク・ドライブに保管され、コンピュータの始動中に実行のためにＲＡＭにロードされる。
【０００９】
図３に、スポットライト・カーソル３２０の外見を示す。スポットライト・カーソル３２０は、ライト３１４、カーソル３１０、および円周「ｃ」３３０を有する。カーソル３１０は、先端３１２を有する。カーソルの座標に言及する時には、その座標は先端３１２の座標である。先端は、カーソルとして表示される矢印の最も前方の点と定義される。当業者は、カーソルの他の点を選択することができることを知っているであろう。先端３１２によって、ライト３１４の中心が定義される。ライト３１４は、円周「ｃ」３３０を有する円によって定義される区域である。ライト３１４は、先端３１２から円周「ｃ」３３０までの直線距離である半径「ｒ」（図示せず）を有する。円周「ｃ」は、画面３１０'と対比して鮮明な直線として、画面３１０'と対比して破線として、画面３１０'と対比して柔らかい線として、または画面３１０'と混合されたぼけた線として表示することができる。しかし、円周にどのような外見が与えられるかに無関係に、「ｃ」は、スポットライト・カーソル３２０において半径「ｒ」との関係において数学的に定義される。図３からわかるように、スポットライト・カーソル３２０は、画面３１０'への２次コンテンツの出現を引き起こしていない。画面３１０'は、「Invert（逆転）」チェックボックス３４０、「Mirror（鏡像）」チェックボックス３５０、および「Print File Information（ファイル情報印刷）」チェックボックス３６０を有する。
【００１０】
図４に、新しい位置にスポットライト・カーソル３２０がある画面３１０'を示す。ユーザが、カーソル３１０を移動した。カーソル３１０が移動される際に、ライト３１４も、円周「ｃ」３３０およびカーソル３１０の先端３１２と一致する中心と共に、移動される。２次コンテンツ情報アイコンが、出現している。具体的に言うと、「Invert」チェックボックス情報アイコン４１０が、「Invert」チェックボックス３４０に隣接して示され、「Mirror」チェックボックス情報アイコン４２０が、「Mirror」チェックボックス３５０に隣接して示され、「Print file information」チェックボックス情報アイコン４３０が、「Print File Information」チェックボックス３６０に隣接して示されている。下でさらに詳細に説明するように、「Invert」チェックボックス情報アイコン４１０、「Mirror」チェックボックス情報アイコン４２０、および「Print file information」チェックボックス情報アイコン４３０の出現は、スポットライト・カーソル３２０の「ｃ」によってカバーされることによって引き起こされた。
【００１１】
本明細書で使用する「カバー」は、２次コンテンツ上の点が、「ｃ」の点によって接触されることまたは「ｃ」の境界内に含まれること、もしくは、「ｃ」上の点の座標が、２次コンテンツ上の点の座標と一致するか等しくなること、もしくは、事前定義のゾーンの境界上の点が１つまたは複数の２次コンテンツを含むことの動作を指す。本明細書で使用する２次コンテンツは、テキスト、アイコン、イメージ、またはコントロールを意味する。ＧＵＩでの２次コンテンツの導入は、スポットライト・カーソルの能力および可用性を利用するために、アプリケーション・プログラマによって行われる。
【００１２】
スポットライト・カーソルを使用する方法は、次の通りである。プログラムが、カーソルのｘ、ｙ座標を得る。次に、プログラムが、事前に選択された半径を適用して、原点ｘ、ｙ（図３の先端３１２）および半径「ｒ」を有する円周「ｃ」の円を定義する。次に、プログラムが、円の円周内に２次コンテンツがあるか否かを判定する。円周「ｃ」内に２次コンテンツがある場合には、その２次コンテンツを活動化し、ＧＵＩの１次層に示す。円の円周「ｃ」内に２次コンテンツがない場合には、プログラムは何もしない。プログラムは、カーソルが移動するたびに（カーソルの座標が変化するたびに）サイクルする。プログラムは、オペレーティング・システムまたはアプリケーションに組み込むか、既存のプログラムへの適合のためにプラグインすることができる。スポットライト機能がアクティブになった後に、ユーザの側でのそれ以上の処置は不要である。
【００１３】
図５に、スポットライト・カーソル３２０を使用する処理の流れ図を示す。まず、プログラムが、カーソルが移動されたか否かを判定する（５２０）。カーソルが移動されていない場合には、プログラムは、停止５９０に進む。カーソルの移動によって、プログラムが活動化される。カーソルが移動されている場合には、プログラムは、スポットライト・カーソルがオンであるか否かを判定する（５３０）。スポットライト・カーソルがオンにされていない場合には、プログラムは停止５９０に進む。スポットライト・カーソルがオンにされている場合には、プログラムは、カーソルの座標の取得（５４０）に進む。次に、プログラムは、カーソル座標および「ｒ」を使用して、「ｃ」の位置を計算する（５５０）。ここで、「ｃ」は、半径「ｒ」の円の円周である。「ｒ」の値は、構成プログラムによってセットされるか、デフォルト値とするか、アプリケーションのプログラマによって選択される設定である。次に、プログラムは、「ｃ」が２次コンテンツをカバーしているか否かを判定する（５６０）。「ｃ」が２次コンテンツをカバーしている場合には、プログラムは、２次コンテンツを表示させる（５８０）。「ｃ」が２次コンテンツをカバーしてない場合には、プログラムは、前に表示された２次コンテンツを隠し（５７０）、ステップ５９０に進む。「ｃ」が２次コンテンツをカバーしている場合には、２次コンテンツを表示する（５８０）。２次コンテンツは、構成プログラムで選択された出現の方法に従って表示される。
【００１４】
図６に、スポットライト・カーソルを構成するプログラムの流れ図を示す。プログラムが、開始され（６１０）、メニューを表示する（６１２）。まず、プログラムが、２次コンテンツを表示するか否かを判定する（６１４）。ユーザが「no」を選択する場合には、プログラムは、「ｒ」＝０をセットし、終了に進む（６５６）。「ｒ」＝０をセットすることによって、２次コンテンツをカバーする「ｃ」がなくなるので、スポットライト・カーソルが、動作不能になる。２次コンテンツを表示する場合には、プログラムは、「ｒ」が選択されたか否かを判定する（６１８）。ユーザが「ｒ」を入力していない場合には、プログラムが「ｒ」にデフォルト値をセットする（６２０）。ユーザが「ｒ」をセットした場合には、プログラムは、ユーザが輝度をセットしたか否かを判定する（６２４）。「ｒ」に最小値「１」がセットされている場合には、スポットライト・カーソル３２０が、カーソル３１０の先端３１２で可視でなくなる可能性がある。しかし、スポットライト・カーソル３２０は、２次コンテンツの表示をもたらす最小の「ｃ」を有する。輝度は、円周「ｃ」を有するライトの円の明るさである。ユーザが輝度をセットしていない場合には、プログラムが、デフォルト輝度を選択し、プログラムが、輝度のデフォルト値をセットし（６２６）、プログラムは、ステップ６２８に進んで、輝度の値を入力する。ユーザが輝度をセットした場合には、プログラムは、ステップ６２８に進んで、輝度の値を入力する。次に、プログラムが、「ｃ」の内側の区域について色がセットされたか否かを判定する。ユーザが「ｃ」の内側の区域の色をセットしていない場合には、プログラムが、色にデフォルト色をセットし、ステップ６３４に進み、色を入力する。ユーザが「ｃ」の内側の区域の色をセットした場合には、プログラムは、ステップ６３４に進み、色を入力する。次に、プログラムが、「ｃ」の色がセットされたか否かを判定する。「ｃ」の色がセットされていない場合には、プログラムが、「ｃ」のデフォルト色をセットし、ステップ６４０に進んで、色を入力する。ユーザが「ｃ」の色をセットした場合には、プログラムは、ステップ６４０に進んで、色を入力する。次に、プログラムが、「ｃ」の構成が選択されたか否かを判定する（６４２）。ユーザが「ｃ」の構成を選択していない場合には、プログラムが、「ｃ」の構成にデフォルト構成をセットし、プログラムが、ステップ６４６に進み、構成を入力する。ユーザが「ｃ」の構成を選択した場合には、プログラムが、「ｃ」の構成を入力する（６４６）。次に、プログラムが、２次コンテンツの出現のモードを判定する。ユーザが２次コンテンツの出現のモードを選択した場合には、プログラムは、２次コンテンツの出現のモードを入力する（６５２）。ユーザが、２次コンテンツの出現のモードを定義していない場合には、プログラムが、接続６５０を介して図７に示されたルーチンに進む。
【００１５】
図７を参照すると、プログラムが、「漸進的出現」が選択されたか否かを判定する（７１０）。「漸進的出現」が選択されている場合には、プログラムが、「漸進的出現」用に２次コンテンツの出現をセットし、ステップ７７０に進んで、「ｃ」によってカバーされた時に出現を示すようにディスプレイをセットする。ユーザが「漸進」を選択していない場合には、プログラムは、ユーザが「全部同時」を選択したか否かを判定する（７３０）。ユーザが「全部同時」を選択した場合には、プログラムが、「全部同時」用に出現をセットし、プログラムが、ステップ７７０に進んで、「ｃ」によってカバーされた時に２次コンテンツを示すようにコンピュータをセットする。次に、プログラムが、ユーザが「ゾーン」を選択したか否かを判定する（７５０）。ユーザが「ゾーン」を選択した場合には、プログラムが「ゾーン」用に出現をセットし（７６０）、ユーザが「ゾーン」を選択していない場合には、プログラムが、ステップ７７０に進んで、コンピュータに、「ｃ」によってカバーされた時に２次コンテンツを示すようにさせる。その後、このルーチンは、接続６５４を介してメイン・プログラムに戻る。図６を参照すると、プログラムは、その後、２次定義に入り、終了６５６する。
【００１６】
図８に、２次コンテンツ項目を漸進的に示す円周「ｃ」を示す。スポットライト・カーソル３２０が、円周「ｃ」３３０およびライト３１４を有する。２次コンテンツ項目８５０が、外縁８６０を有する。円周「ｃ」３３０が外縁８６０上の点をカバーする時に、２次コンテンツ項目８５０の表示が開始される。図８では、円周「ｃ」３３０が、外縁８６０を通過し、交差する区域８４０が示されるが、残りの区域８４２は表示されない。円周「ｃ」３３０が進み、２次コンテンツ項目８５０の追加の点をカバーする際に、交差する区域８４０が増え、残りの区域８４２が減る。
【００１７】
図９に、２次コンテンツ項目９５０を全部同時に示す円周「ｃ」を示す。スポットライト・カーソル３２０が、円周「ｃ」３３０およびライト３１４を有する。２次コンテンツ項目９５０が、外縁９６０を有する。円周「ｃ」３３０が外縁９６０上の点をカバーする時に、２次コンテンツ項目９５０が完全に表示される。交差区域も残りの区域もない。２次コンテンツ項目９５０の外縁９６０のどの点が円周「ｃ」３３０によってカバーされるかに無関係に、２次コンテンツ項目９５０のすべてが表示される。
【００１８】
図１０に、所定のゾーン内の点をカバーすることによって２次コンテンツのグループを示す円周「ｃ」を示す。スポットライト・カーソル３２０が、円周「ｃ」３３０およびライト３１４を有する。２次コンテンツ項目１０５０、１０５２、および１０５４が、事前定義のゾーン境界１０６０内に配置される。円周「ｃ」３３０が、ゾーン境界１０６０上の点をカバーする時に、３つの２次コンテンツ項目１０５０、１０５２、および１０５４のすべてが、同時に完全に表示される。
【００１９】
まとめとして、本発明の構成に関して以下の事項を開示する。
【００２０】
（１）２次コンテンツを表示するプログラム可能な装置であって、
コンピュータと、
円周を有するスポットライト・カーソルを表示するソフトウェア・プログラムと
を含み、前記コンピュータが、前記２次コンテンツが前記円周上の点によってカバーされる時に、前記２次コンテンツを表示するように指示される、
プログラム可能な装置。
（２）前記円周が、実線または破線として可視または不可視である、上記（１）に記載の円周。
（３）前記２次コンテンツが、漸進的に示されるか、全部同時に示されるか、またはゾーン内に示される、上記（１）に記載の２次コンテンツ。
（４）前記円周内のライトが、選択可能であり、可変輝度である、上記（１）に記載のスポットライト・カーソル。
（５）前記円周内の区域が、事前に選択可能な色である、上記（１）に記載のスポットライト・カーソル。
（６）カーソルを有するコンピュータに、２次コンテンツを表示させるコンピュータ可読メモリであって、
コンピュータ可読記憶媒体と、
前記コンピュータ可読記憶媒体に保管されるプログラムと
を含み、前記プログラムによって構成された前記コンピュータ可読記憶媒体が、前記コンピュータに、半径、円周、および前記カーソルの最も前方の点に配置された中心を有するスポットライト・カーソルを表示させ、前記円周および前記２次コンテンツ上の座標の一致に応答して、前記２次コンテンツが表示される、
コンピュータ可読メモリ。
（７）スポットライト・カーソルによる活動化の際に２次コンテンツの表示を達成するための方法であって、
コンピュータのメモリ内の第１のプログラムを使用して、
ユーザが前記スポットライト・カーソルを選択したか否かを判定するステップと、
「ｒ（カーソルの座標から発する半径）」が選択されたか否かを判定するステップと、
前記スポットライト・カーソルの座標を得るステップと、
「ｃ（半径ｒの円周）」の位置を計算するステップと、
「ｃ」が２次コンテンツをカバーしたか否かを判定するステップと、
２次コンテンツを表示させるステップと、
コンピュータの前記メモリ内の第２プログラムを使用して、
メニューを表示するステップと、
２次コンテンツを表示しなければならないか否かを判定するステップと、
「ｒ」を選択するステップと、
輝度を選択するステップと、
円周の内側の区域の色を選択するステップと、
「ｃ」の色を選択するステップと、
「ｃ」の構成を選択するステップと、
２次コンテンツの定義を判定するステップと
を含む、方法。
（８）２次コンテンツを表示させるスポットライト・カーソルを作成する方法であって、
前記スポットライト・カーソルの座標を得るステップと、
「ｃ」の位置を計算するステップと、
「ｃ」が２次コンテンツをカバーしたか否かを判定するステップと、
「ｃ」が２次コンテンツをカバーしたことの判定に応答して、２次コンテンツを表示させるステップと
を含む、方法。
（９）ユーザが前記スポットライト・カーソルを選択したか否かを判定するステップをさらに含む、上記（８）に記載の方法。
（１０）「ｒ」が選択されたか否かを判定するステップをさらに含む、上記（８）に記載の方法。
【図面の簡単な説明】
【図１】本発明を実施することができる分散データ処理システムを示す。
【図２】本発明を実施するソフトウェアを保管することができるコンピュータを示す。
【図３】表示される２次コンテンツがないスポットライト・カーソルを示す。
【図４】表示される２次コンテンツがあるスポットライト・カーソルを示す。
【図５】スポットライト・カーソルを制御する第１プログラムの流れ図である。
【図６】スポットライト・カーソルの構成を制御する第２プログラムの流れ図である。
【図７】図６の流れ図の続きを示す。
【図８】漸進的表示の例を示す。
【図９】全部表示の例を示す。
【図１０】ゾーン表示の例を示す。
【符号の説明】
３１０  カーソル
３１０'  画面
３１２  先端
３１４  ライト
３２０  スポットライト・カーソル
３３０  円周「ｃ」
３４０  「Invert（逆転）」チェックボックス
３５０  「Mirror（鏡像）」チェックボックス
３６０  「Print File Information（ファイル情報印刷）」チェックボックス
４１０  チェックボックス情報アイコン
４２０  チェックボックス情報アイコン
４３０  チェックボックス情報アイコン
【図１】
0004237954.tif 000002
【図２】
0004237954.tif 000003
【図３】
0004237954.tif 000004
【図４】
0004237954.tif 000005
【図５】
0004237954.tif 000006
【図６】
0004237954.tif 000007
【図７】
0004237954.tif 000008
【図８】
0004237954.tif 000009
【図９】
0004237954.tif 000010
【図１０】
0004237954.tif 000011